(57)【特許請求の範囲】
【請求項１】
ランプ負荷と該ランプ負荷の制御を行う制御部とを有する照明器具が、伝送線に複数接続されて成る照明装置において、前記照明器具に人感センサを付加しており、第１のトリガ信号と第２のトリガ信号とを受信し、前記第１のトリガ信号と前記第２のトリガ信号との間に第３のトリガ信号である前記人感センサによる出力信号を受信した照明器具を同一のグループとするグループ設定動作を行うようにしたことを特徴とする照明装置。
【請求項２】
前記第２のトリガ信号とは、タイマ信号であることを特徴とする請求項１に記載の照明装置。
【請求項３】
前記照明器具にグループ設定変更手段を設け、前記照明器具は、設定されたグループを変更できるようにしたことを特徴とする請求項１又は２のいずれかに記載の照明装置。
【請求項４】
前記照明器具がグループ設定を開始する旨のグループ設定信号を受信すると、前記グループ設定動作を開始し、グループ設定を完了する旨のグループ設定完了信号を受信すると、前記グループ設定動作を完了するようにしたことを特徴とする請求項１乃至請求項３のいずれかに記載の照明装置。
【請求項５】
電源投入時に前記グループ設定動作を行うようにしたことを特徴とする請求項１乃至請求項４のいずれかに記載の照明装置。
【請求項６】
前記照明器具に記憶部を付加し、前記第１のトリガ信号を受信した照明器具は、該記憶部の内容に基づいて未使用のグループ番号の内、所望のグループ番号を含む信号を他の照明器具に送信し、該信号を受信した照明器具を、前記第３のトリガ信号を受信すると前記信号に含まれるグループ番号に属するようにしたことを特徴とする請求項１乃至請求項５のいずれかに記載の照明装置。
【請求項７】
同一グループに属する前記照明器具の内、他の前記照明器具と異なる動作を示す信号を受信した照明器具を前記グループから脱退させるようにしたことを特徴とする請求項１乃至請求項６のいずれかに記載の照明装置。
【発明の詳細な説明】
【０００１】
【発明の属する技術分野】
本発明は、伝送線に複数の照明器具が接続された照明装置に関するものである。
【０００２】
【従来の技術】
複数の照明器具と、各照明器具を制御する集中監視盤とが伝送線に接続されて成る照明制御システムにおいて、照明器具をグループ単位で制御する機能が基本的に備えられている。
【０００３】
これらの照明制御システムでは、各照明器具のグループ設定を、照明器具固有のアドレスを集中監視盤に記憶させることにより行っており、施工された照明器具とアドレスの関係を明確にするとともに、各グループに属する照明器具のアドレスを明確にしなければならず、設定作業は大変工数のかかるものとなり、また、かなりの専門的知識を必要とした。
【０００４】
上記問題を解決する技術として、特開平9-35875号公報に示す技術があり、これは、グループ番号が設定されていない照明器具に、施工後にリモコンによりグループ番号を設定するというものである。この場合、照明器具の施工時の位置関係を気にすることなく、また、専門的知識を有しない人間でもシステムのグループ設定を行うことができる。
【０００５】
しかし、各照明器具に個別にグループ設定を行うという点では、従来と何等異なるところはなく、例えば、本システムが、オフィスビル等の大規模なものに施工された場合、その照明器具の数は膨大な数になり、グループ設定を逐次行うことは作業者の大きな負担となる。
【０００６】
また、大きなシステムになるほどグループの数が多くなることが考えられ、グループ番号の管理が問題となる。つまり、どのグループ番号が使用しているか否かを常に把握しておく必要がある。
【０００７】
従って、グループ設定には予めグループ番号の割り振りを明確にしたテーブル等の作成が必要であり、グループ設定作業は前記テーブル等を見ながらの作業となり、作業者にとっては大きな負担となる。
【０００８】
【発明が解決しようとする課題】
上述のような従来の照明制御システムでは、集中監視盤を配して予めグループ情報を記憶させたり、また、各照明器具にグループ番号をリモコンで個別に記憶させる必要があり、設定作業が大変な工数になるという問題点があった。
【０００９】
本発明は、上記の点に鑑みて成されたものであり、その目的とするところは、照明器具のグループ設定を簡易に行うことができる照明装置を提供することにある。
【００１０】
【課題を解決するための手段】
請求項１記載の発明は、ランプ負荷と該ランプ負荷の制御を行う制御部とを有する照明器具が、伝送線に複数接続されて成る照明装置において、前記照明器具に人感センサを付加しており、第１のトリガ信号と第２のトリガ信号とを受信し、前記第１のトリガ信号と前記第２のトリガ信号との間に第３のトリガ信号である前記人感センサによる出力信号を受信した照明器具を同一のグループとするグループ設定動作を行うようにしたことを特徴とするものである。
【００１１】
請求項２記載の発明は、請求項１に記載の照明装置において、前記第２のトリガ信号とは、タイマ信号であることを特徴とするものである。
【００１２】
請求項３記載の発明は、請求項１又は２に記載の照明装置において、前記照明器具にグループ設定変更手段を設け、前記照明器具は、設定されたグループを変更できるようにしたことを特徴とするものである。
【００１３】
請求項４記載の発明は、請求項１乃至請求項３のいずれかに記載の照明装置において、前記照明器具がグループ設定を開始する旨のグループ設定信号を受信すると、前記グループ設定動作を開始し、グループ設定を完了する旨のグループ設定完了信号を受信すると、前記グループ設定動作を完了するようにしたことを特徴とするものである。
【００１４】
請求項５記載の発明は、請求項１乃至請求項４のいずれかに記載の照明装置において、電源投入時に前記グループ設定動作を行うようにしたことを特徴とするものである。
【００１５】
請求項６記載の発明は、請求項１乃至請求項５のいずれかに記載の照明装置において、前記照明器具に記憶部を付加し、前記第１のトリガ信号を受信した照明器具は、該記憶部の内容に基づいて未使用のグループ番号の内、所望のグループ番号を含む信号を他の照明器具に送信し、該信号を受信した照明器具を、前記第３のトリガ信号を受信すると前記信号に含まれるグループ番号に属するようにしたことを特徴とするものである。
【００１６】
請求項７記載の発明は、請求項１乃至請求項６のいずれかに記載の照明装置において、同一グループに属する前記照明器具の内、他の前記照明器具と異なる動作を示す信号を受信した照明器具を前記グループから脱退させるようにしたことを特徴とするものである。
【００１７】
【発明の実施の形態】
以下、本発明の実施の形態について図面に基づき説明する。なお、以下の全ての実施の形態及び参考となる形態における各照明器具２は、個別のアドレスを有していない。但し、以下の全ての実施の形態及び参考となる形態において、各照明器具２が個別のアドレスを有している場合にも適用できる。
【００１８】
＝参考となる形態１＝
図１は、本発明の参考となる形態に係る照明装置を示す概略構成図であり、図２は、本参考となる形態に係る照明器具２を示すブロック図であり、図３は、本参考となる形態に係る照明装置の動作を説明するタイムチャートであり、図４は、本参考となる形態に係る照明装置の動作を説明するフローチャートである。本参考となる形態に係る照明装置は、伝送線１に接続された複数の照明器具２と、リモコン３とを有して成る。
【００１９】
照明器具２は、通信部２ａと、リモコン受信部２ｂと、ランプ負荷２ｃと、記憶部２ｄと、制御部２ｅと、電源２ｆとを有して成る。ここで、通信部２ａは、伝送線１からの信号を受信または信号を伝送線１を介して他の照明器具２に送信するするものであり、リモコン受信部２ｂは、リモコン３からの信号を受信して制御部２ｅに出力するものであり、記憶部２ｄは、さまざまな情報を記憶するものであり、制御部２ｅは、リモコン受信部２ｂからの信号または通信部２ａからの信号によりランプ負荷２ｃを制御し、記憶部２ｄの内容を参照または書き換えを行うものであり、電源２ｆは、各機能を駆動させるものである。
【００２０】
以下、本参考となる形態に係る照明装置のグループ設定時の動作について、図３，図４に基づいて説明する。なお、説明の便宜上、伝送線１に接続された複数の照明器具２として、照明器具Ａ〜Ｆを用いて説明する。先ず、リモコン３から所望の照明器具（本参考となる形態においては照明器具Ａ）に対してグループ設定の動作を指示するグループ設定信号を送信し、それを受信した照明器具Ａは、自己の動作をグループ設定動作シーケンスへと移行するとともに、伝送線１に接続されている全ての照明器具（本参考となる形態においては照明器具Ｂ〜Ｆ）に対してグループ設定信号を送信する。
【００２１】
グループ設定信号を受信した照明器具Ｂ〜Ｆは、自己の動作をグループ設定動作シーケンスに移行する。この際、グループ設定動作シーケンスで動作中の照明器具Ａ〜Ｆは、何も指示がないときはランプ負荷２ｃが消灯している。
【００２２】
グループ指定したい照明器具Ａ〜Ｄの内、所望の１台（本参考となる形態においては照明器具Ａ）に対して、リモコン３により点灯命令を示す信号（第１トリガ信号）を送信し、第１トリガ信号を受信した照明器具Ａは、自己のランプ負荷２ｃを点灯させるとともに、記憶部２ｄを参照して未使用のグループ番号を調べる。なお、本参考となる形態においてはグループ未設定の状態であるので、全てのグループ番号が使用可能である。
【００２３】
照明器具Ａは、未使用のグループ番号の内の１つ（本参考となる形態においてはグループ番号１）を付した設定開始信号（第１トリガ信号）を、伝送線１に接続された全ての照明器具Ｂ〜Ｆに送信し、設定開始信号を受信した照明器具Ｂ〜Ｆは、グループ１が今設定状態にあることを認識する。
【００２４】
この状態で、リモコン３からの点灯命令を示す信号（第３トリガ信号）を受信した照明器具（本参考となる形態においては照明器具Ｂ〜Ｄ）は、自己もグループ１に所属することを認識して記憶部２ｄに記憶するとともに、ランプ負荷２ｃを点灯させる。つまり、各照明器具Ａ〜Ｆは、
設定開始信号（第１トリガ信号）受信＋第３トリガ信号受信＝グループに所属と判断する。
【００２５】
上記動作を繰り返す、つまり、リモコン３により照明器具Ａと同一グループに設定したい照明器具（本参考となる形態においては、照明器具Ｂ〜Ｄ）に対して第３トリガ信号を送信することにより、照明器具Ｂ〜Ｄがグループ１に所属することを認識させて記憶部２ｄに記憶させるとともに、ランプ負荷２ｃを点灯させる。
【００２６】
そして、リモコン３により、グループ１に所属する照明器具の内の所望の１台（本参考となる形態においては照明器具Ａ）に対して消灯命令を示す信号（第２トリガ信号）を送信し、第２トリガ信号を受信した照明器具Ａは、自己のランプ負荷２ｃを消灯させるとともに、伝送線１に接続された他の照明器具Ｂ〜Ｆに対して第２トリガ信号を送信する。
【００２７】
第２トリガ信号を受信した照明器具Ｂ〜Ｆは、自己のランプ負荷２ｃを消灯させる（本参考となる形態においては照明器具Ｂ〜Ｄ）とともに、グループ１の設定作業が終了したことを認識する。
【００２８】
この時、グループ１に所属しない照明器具（本参考となる形態においては照明器具Ｅ，Ｆ）はグループ番号１が設定済みであることを記憶部２ｄに記憶する。
【００２９】
続けて違うグループを設定したい場合には、上述の動作を繰り返す。その場合、設定済みのグループ番号１を避けて、照明器具が使用できるグループ番号を自動的に選択する。
【００３０】
全てのグループの設定が完了した場合は、リモコン３から所望の照明器具（本参考となる形態においては照明器具Ａ）に対してグループ設定完了信号を送信し、照明器具Ａはグループ設定完了信号を受信すると、伝送線１上の全ての照明器具Ｂ〜Ｆに対してグループ設定完了信号を送信する。そして、以下においてグループ設定を行った照明器具はグループ単位で点灯、消灯の制御を行うことができる。
【００３１】
従って、本実施の形態においては、グループ設定作業を行う者はグループ番号を意識することなく、所望の照明器具を点灯させるだけでよく、リモコン３の操作を各照明器具につき１回行うだけで簡易にグループ設定を行うことができる。
【００３２】
なお、本参考となる形態においては、ランプ負荷２ｃを点灯させてから消灯させることによりグループ設定を行っているが、これに限定されるものではなく、どのような信号であっても良く、例えば、消灯させてから点灯させたり、また、調光信号により調光させるようにしたり、またランプ負荷２ｃの点灯、消灯をしなくても良い。
【００３３】
ここで、ランプ負荷２ｃの状態を変化させているのは、状態が変化した方が作業者にとって分かりやすいという効果があるからである。
【００３４】
＝実施の形態１＝
図５は、本発明の実施の形態に係る照明器具２を示すブロック図である。本実施の形態に係る照明器具２は、参考となる形態１として図２に示す照明器具２に人感センサ２ｇを設けた構成である。
【００３５】
参考となる形態１においては、リモコン３からの第３トリガ信号によりグループ設定を行ったが、本実施の形態においては、リモコン３からの信号の代わりに、人感センサ２ｇに人体を検出させることにより出力される人体検出信号を用いてグループ設定を行うようにした構成である。
【００３６】
従って、本実施の形態においては、グループ設定作業者は、グループ化したい照明器具２の下を通過する（人感センサ２ｇを検知させる）だけで良く、各照明器具２毎にリモコン３の操作を行うという手間が省け、より簡易にグループ設定を行うことができる。
【００３７】
なお、本実施の形態においては、グループ設定信号及びグループ設定完了信号をリモコン３からの無線信号により行うようにしたが、これに限定されるものではなく、有線信号によりグループ設定信号及びグループ設定完了信号を送信するようにしても良い。
【００３８】
＝実施の形態２＝
図６は、本発明の他の実施の形態に係る照明器具２を示すブロック図であり、図７は、本実施の形態に係る照明装置の動作を説明するタイムチャートである。本実施の形態に係る照明器具２は、実施の形態１として図５に示す照明器具２において、タイマ２ｈを付加した構成である。実施の形態１においては、第２トリガ信号により現在設定中のグループ設定作業の終了を示したが、本実施の形態においては、第２トリガ信号の代わりに、最初に人感センサ２ｇにより人体を検出した時に、タイマ２ｈのカウントを始め、所定の時間が経過したときにグループ設定作業の終了を示すタイマ信号（カウント終了信号）を送信するようにした構成である。
【００３９】
以下、本実施の形態の動作について図７に基づいて説明する。なお、説明の便宜上、伝送線１に接続された複数の照明器具２として、照明器具Ａ〜Ｆを用いて説明する。先ず、リモコン３から所望の照明器具（本実施の形態においては照明器具Ａ）に対してグループ設定の動作を指示するグループ設定信号を送信し、それを受信した照明器具Ａは、自己の動作をグループ設定動作シーケンスへと移行するとともに、伝送線１に接続されている全ての照明器具（本実施の形態においては照明器具Ｂ〜Ｆ）に対してグループ設定信号を送信する。
【００４０】
グループ設定信号を受信した照明器具Ｂ〜Ｆは、自己の動作をグループ設定動作シーケンスに移行する。この際、グループ設定動作シーケンスで動作中の照明器具Ａ〜Ｆは、何も指示がないときはランプ負荷２ｃが消灯している。
【００４１】
次に、人感センサ２ｇにより最初に人体を検出した照明器具（本実施の形態においては照明器具Ａ）は、自己のランプ負荷２ｃを点灯させるとともに、記憶部２ｄを参照して未使用のグループ番号（本実施の形態においてはグループ番号２）を調べ、グループ番号２を付した設定開始信号を、伝送線１に接続された全ての照明器具Ｂ〜Ｆに送信し、自己のタイマ２ｈのカウント（例えば３０秒）を開始する。この時、自己がグループ２に属することを記憶部２ｄに記憶する。
【００４２】
照明器具Ｂ〜Ｆは、設定開始信号を受信すると、グループ２が今設定状態にあることを認識する。
【００４３】
そして、タイマ２ｈのカウント中に、同一グループに指定したい照明器具（本実施の形態においては照明器具Ｂ〜Ｄ）の人感センサ２ｇに人体を検出させ、人体を検出した照明器具Ｂ〜Ｄは、ランプ負荷２ｃを点灯させるとともに、自己がグループ２に属することを記憶部２ｄに記憶する。
【００４４】
照明器具Ａは、タイマ２ｈのカウントが終了すると、ランプ負荷２ｃを消灯させるとともに、グループ２の設定作業の終了を示すカウント終了信号を伝送線１に接続された全ての照明器具Ｂ〜Ｆに対して送信し、カウント終了信号を受信した照明器具Ｂ〜Ｆは、ランプ負荷２ｃを消灯させるとともに、グループ２の設定が終了したことを認識し、グループ２が設定済みであることを記憶部２ｄに記憶する。
【００４５】
続けて違うグループを設定したい場合には、上述の動作を繰り返す。その場合、設定済みのグループ番号２を避けて、照明器具が使用できるグループ番号を自動的に選択する。
【００４６】
全てのグループの設定が完了した場合は、リモコン３から所望の照明器具（本実施の形態においては照明器具Ａ）に対してグループ設定完了信号を送信し、照明器具Ａはグループ設定完了信号を受信すると、伝送線１上の全ての照明器具Ｂ〜Ｆに対してグループ設定完了信号を送信する。そして、以下においてグループ設定を行った照明器具はグループ単位で点灯、消灯の制御を行うことができる。
【００４７】
従って、本実施の形態においては、グループ設定作業を行う者はグループ化したい照明器具２の下を歩く（人感センサ２ｇを検知させる）だけで良く、簡易にグループ設定を行うことができる。
【００４８】
なお、本実施の形態においては、グループ設定信号及びグループ設定完了信号をリモコン３からの無線信号により行うようにしたが、これに限定されるものではなく、有線信号によりグループ設定信号及びグループ設定完了信号を送信するようにしても良い。
【００４９】
＝参考となる形態２＝
図８は、本発明の他の参考となる形態に係る照明器具２を示すブロック図である。本参考となる形態に係る照明器具２は、実施の形態１の照明器具２において、人感センサ２ｇの代わりに照度センサ２ｉを設けた構成である。
【００５０】
ここで、本参考となる形態に係る照明装置は、照度センサ２ｉの情報に基づきランプ負荷２ｃの調光制御を行うような照明器具２においては、人感センサ２ｇに人体を検知させる代わりに、急激な照度変化、例えば、懐中電灯等により各照明器具２を照らすことで急激な照度変化を与えることによりグループ設定を行うようにしたものである。
【００５１】
従って、本参考となる形態においては、グループ設定作業を行う者はグループ化したい照明器具２を懐中電灯等で照らすことにより、簡易にグループ設定を行うことができる。
【００５２】
なお、本参考となる形態においては、グループ設定信号及びグループ設定完了信号をリモコン３からの無線信号により行うようにしたが、これに限定されるものではなく、有線信号によりグループ設定信号及びグループ設定完了信号を送信するようにしても良い。
【００５３】
また、実施の形態２として図６に示す照明器具２においても、人感センサ２ｇの代わりに照度センサ２ｉを用いれば、本実施の形態と同様の効果を得ることができる。
【００５４】
＝実施の形態３＝
上述の全ての実施の形態及び参考となる形態においては、グループ設定を行う際に、先ず、リモコン３からのグループ設定信号に基づいて、各照明器具２をグループ設定動作シーケンスに移行する必要があったが、本実施の形態に係る照明装置においては、電源投入時に各照明器具２が自己の記憶部２ｄを参照し、自己の照明器具２にグループ番号が設定されていない場合に、自動的にグループ設定動作シーケンスに移行するようにした構成である。
【００５５】
このようにすることで、グループ設定動作シーケンスに移行するための装置や信号が不要となり、簡易にグループ設定を行うことができ、照明装置のコストダウンも可能となる。
【００５６】
＝実施の形態４＝
本実施の形態においては、一度設定したグループの設定変更について説明する。上述の全ての実施の形態において、グループの変更を行いたい場合に、先ず、全ての照明器具２をグループ設定動作シーケンスに移行し、変更した照明器具２が属するグループを対象とするグループ点灯命令を示す信号を送信し、該信号を受信した照明器具２は、自己のランプ負荷２ｃを点灯させる。
【００５７】
次に、グループから除きたい照明器具２に個別に消灯命令を示す信号を送信し、該照明器具２のランプ負荷２ｃを消灯するとともに、記憶部２ｄから自己がそのグループに属するという情報を消去する。
【００５８】
次に、ランプ負荷２ｃの消灯命令を示す第２トリガ信号を送信し、全ての照明器具２のランプ負荷２ｃを消灯させ、グループ設定完了信号を送信することによりグループの設定変更を終了する。
【００５９】
ここで、グループから除きたい照明器具２への個別の消灯命令を示す信号の送信方法としては、リモコン３を用いた無線信号と、照明器具２の監視を行う集中監視盤（図示せず）からの有線信号がある。リモコン３からの遠隔制御または集中監視盤により個別の照明器具２を消灯させる場合には、照明器具２に固有のアドレスを設定して、該アドレスに対して送信する必要がある。また、該当する照明器具２の近傍からリモコン３により消灯命令を示す信号を送信する場合には、照明器具２に固有のアドレスを設定する必要がないが、他の照明器具２に対して消灯命令を示す信号を送信しないようにする必要がある。
【００６０】
このようにすることで、グループの設定変更が可能となり、オフィス等のパーティション変更が行われる場合であっても簡単に対応することができる。
【００６１】
＝実施の形態５＝
実施の形態４では、一旦設定したグループから、除きたい照明器具２を脱退させることによりグループの設定変更を行っているが、本実施の形態においては、設定されたグループ番号を上書きすることによりグループの設定変更を行うようにした構成である。
【００６２】
つまり、一旦グループが設定された後に、再びグループ設定動作シーケンスに移行した際に、グループの設定作業が行われると、新たなグループ番号が記憶部２ｄに記憶されて、前のグループ番号を記憶部２ｄから消去するようにしたものである。
【００６３】
このようにすることで、グループの設定変更を簡易に行うことができ、オフィス等のパーティション変更が行われる場合であっても簡単に対応することができる。
【００６４】
＝実施の形態６＝
上述の全ての実施の形態においては、他の照明器具２の属するグループ番号も含め、使用・未使用のグループ番号を各照明器具２が個別に記憶していたが、各グループに属する照明器具２の数に関しては関知していなかった。
【００６５】
そのため、実施の形態６，７のような方法により、グループの設定変更を行っていくと、あるグループ番号のグループに属する照明器具２の数が既に０になっているのに、そのグループ番号が使用中であると記憶される状態になってしまう可能性がある。
【００６６】
そこで、本実施の形態においては、上述の全ての実施の形態において、実際に使用されているグループ番号と、各照明器具２に記憶されている使用済みのグループ番号情報の整合をとれるようにしたものである。
【００６７】
以下、本実施の形態の動作について説明する。リモコン３により、照明器具２の内、所望の１台に対して「グループテーブル確認コマンド」を付した信号を送信し、該信号を受信した照明器具２は、グループテーブル確認動作シーケンスに移行するとともに、伝送線１に接続された全ての照明器具２に対してその旨を示す信号を同報送信する。
【００６８】
伝送線１を介してグループテーブル確認コマンドに移行した旨の信号を受信した照明器具２は、グループテーブル確認動作シーケンスに移行し、自己の属するグループ番号を付した信号を伝送線１を介して同報送信するとともに、記憶部２ｄに属するグループ番号が使用中であると記憶する。
【００６９】
グループ番号を付した信号を受信した照明器具２は、その受信した信号に含まれるグループ番号が使用中であることを記憶部２ｄに記憶する。
【００７０】
ここで、各照明器具２は、自己の属するグループ番号を付した信号を伝送線１を介して同報送信していくが、自己の属するグループ番号を含んだ信号を既に受信している場合には、自己のグループ番号を付した信号を伝送線１を介して送信しない。
【００７１】
以上の動作を、全ての照明器具２により行うことにより全ての使用中のグループ番号を確認することができる。
【００７２】
従って、本実施の形態においては、少ない信号数で全ての使用中のグループ番号を確認することができる。
【００７３】
＝実施の形態７＝
図９は、本発明の他の実施の形態に係る照明装置の動作を説明するタイムチャートである。本実施の形態に係る照明装置は、実施の形態４，５を除く上述の全ての実施の形態において、グループ設定動作シーケンス中に、照明器具２が一旦、ある所定のグループに属すると認識した後、全ての照明器具２のランプ負荷２ｃの消灯命令を示す信号を受信するまでに、個別の照明器具２への消灯命令を示す信号を受信した場合に、そのグループから脱退するようにした構成である。
【００７４】
なお、照明器具２への個別の消灯命令を示す信号の送信方法としては、リモコン３を用いた無線信号と、照明器具２の監視を行う集中監視盤（図示せず）からの有線信号がある。リモコン３からの遠隔制御または集中監視盤により個別の照明器具２を消灯させる場合には、照明器具２に固有のアドレスを設定して、該アドレスに対して送信する必要がある。また、該当する照明器具２の近傍からリモコン３により消灯命令を示す信号を送信する場合には、照明器具２に固有のアドレスを設定する必要がないが、他の照明器具２に対して消灯命令を示す信号を送信しないようにする必要がある。
【００７５】
従って、本実施の形態においては、グループ設定動作中に、グループへの所属、脱退を容易に行うことができる。
【００７６】
【発明の効果】
請求項１記載の発明は、ランプ負荷とランプ負荷の制御を行う制御部とを有する照明器具が、伝送線に複数接続されて成る照明装置において、前記照明器具に人感センサを付加しており、第１のトリガ信号と第２のトリガ信号とを受信し、第１のトリガ信号と第２のトリガ信号との間に第３のトリガ信号である前記人感センサによる出力信号を受信した照明器具を同一のグループとするグループ設定動作を行うようにしたので、照明器具のグループ設定を簡易に行うことができる照明装置を提供することができることに加えて、同一グループに設定したい照明器具の下を通過することにより容易にグループ設定を行うことができる。
【００７７】
請求項２記載の発明は、請求項１に記載の照明装置において、第２のトリガ信号とは、タイマ信号であるので、請求項１のいずれかに記載の発明の効果に加えて、第２トリガ信号を自動的に送信することができる。
【００７８】
請求項３記載の発明は、請求項１又は２に記載の照明装置において、照明器具にグループ設定変更手段を設け、照明器具は、設定されたグループを変更できるようにしたので、請求項１又は２に記載の発明の効果に加えて、特別な装置を用意することなく容易にグループの設定変更を行うことができる。
【００７９】
請求項４記載の発明は、請求項１乃至請求項３のいずれかに記載の照明装置において、照明器具がグループ設定を開始する旨のグループ設定信号を受信すると、グループ設定動作を開始し、グループ設定を完了する旨のグループ設定完了信号を受信すると、グループ設定動作を完了するようにしたので、請求項１乃至請求項３のいずれかに記載の発明と同様の効果を奏する。
【００８０】
請求項５記載の発明は、請求項１乃至請求項４のいずれかに記載の照明装置において、電源投入時にグループ設定動作を行うようにしたので、請求項１乃至請求項４のいずれかに記載の発明の効果に加えて、自動的にグループ設定の動作に移行することができる。
【００８１】
請求項６記載の発明は、請求項１乃至請求項５のいずれかに記載の照明装置において、照明器具に記憶部を付加し、第１のトリガ信号を受信した照明器具は、記憶部の内容に基づいて未使用のグループ番号の内、所望のグループ番号を含む信号を他の照明器具に送信し、該信号を受信した照明器具を、第３のトリガ信号を受信すると該信号に含まれるグループ番号に属するようにしたので、請求項１乃至請求項５のいずれかに記載の発明と同様の効果を奏する。
【００８２】
請求項７記載の発明は、請求項１乃至請求項６のいずれかに記載の照明装置において、同一グループに属する照明器具の内、他の照明器具と異なる動作を示す信号を受信した照明器具をグループから脱退させるようにしたので、請求項１乃至請求項６のいずれかに記載の発明の効果に加えて、簡易にグループの設定変更を行うことができる。
【００８３】
【図面の簡単な説明】
【図１】本発明の参考となる形態に係る照明装置を示す概略構成図である。
【図２】本参考となる形態に係る照明器具を示すブロック図である。
【図３】本参考となる形態に係る照明装置の動作を説明するタイムチャートである。
【図４】本参考となる形態に係る照明装置の動作を説明するフローチャートである。
【図５】本発明の実施の形態に係る照明器具を示すブロック図である。
【図６】本発明の他の実施の形態に係る照明器具を示すブロック図である。
【図７】本実施の形態に係る照明装置の動作を説明するタイムチャートである。
【図８】本発明の他の参考となる形態に係る照明器具を示すブロック図である。
【図９】本発明の他の実施の形態に係る照明装置の動作を説明するタイムチャートである。
【００８４】
【符号の説明】
１  伝送線
２  照明器具
２ａ  通信部
２ｂ  リモコン受信部
２ｃ  ランプ負荷
２ｄ  記憶部
２ｅ  制御部
２ｆ  電源
２ｇ  人感センサ
２ｈ  タイマ
２ｉ  照度センサ
３  リモコン
【図１】
0003780680.tif 000002
【図２】
0003780680.tif 000003
【図３】
0003780680.tif 000004
【図４】
0003780680.tif 000005
【図５】
0003780680.tif 000006
【図６】
0003780680.tif 000007
【図７】
0003780680.tif 000008
【図８】
0003780680.tif 000009
【図９】
0003780680.tif 000010